(57)【要約】【課題】スイッチとして可動部品を必要とせず、身体につけているときに発光素子が点灯し、身体から外しているときに発光素子が消灯する、装飾品を提供する。【解決手段】装飾品としての指輪１０は、装飾品本体としての指輪本体１２を含む。指輪本体１２の指輪装飾部１４には、その裏面側にリング部１６が設けられ、その裏面に電極１８ａ、１８ｂが間隔を隔てて設けられる。電極１８ａ、１８ｂは、リング部１６を指に嵌めることによって指に接触するように設けられる。指輪装飾部１４内には、発光ダイオード２０、二次電池２２、ＭＯＳ電界効果トランジスタ２４等が設けられる。電極１８ａ、１８ｂに指が接触することによって、ＭＯＳ電界効果トランジスタ２４がオン状態になり、二次電池２２が発光ダイオード２０に電力を供給するように構成される。【選択図】図２
2006061466.tif 000002
【特許請求の範囲】
【請求項１】
身体につけられるように形成された装飾品本体、
前記装飾品本体を身体につけることによって身体に接触するように、前記装飾品本体に間隔を隔てて設けられる２つの電極、
点灯状態が外部からわかるように前記装飾品本体に設けられる発光素子、
前記装飾品本体に設けられる電源、および
前記装飾品本体に設けられ、オン状態になることによって前記電源から前記発光素子に電力を供給するスイッチとして働くＭＯＳ電界効果トランジスタを含む装飾品であって、
前記ＭＯＳ電界効果トランジスタは、前記２つの電極に身体を接触させることによってオン状態になるように構成された、装飾品。
【請求項２】
前記２つの電極に身体を接触させることによって前記ＭＯＳ電界効果トランジスタがオン状態になるようにするために、
前記２つの電極のうちの一方の電極は、前記電源に接続され、
前記２つの電極のうちの他方の電極は、前記ＭＯＳ電界効果トランジスタのゲートに接続された、請求項１に記載の装飾品。
【請求項３】
前記装飾品本体は、指輪装飾部、および前記指輪装飾部に設けられるリング部を含む指輪本体であり、
前記２つの電極は、前記リング部を指に嵌めることによって指に接触するように前記指輪本体に設けられた、請求項１または請求項２に記載の装飾品。
【請求項４】
前記装飾品本体は、イヤリング装飾部、および前記イヤリング装飾部に設けられる挟持部を含むイヤリング本体であり、
前記２つの電極は、前記イヤリング装飾部および前記挟持部で耳を挟むことによって耳に接触するように前記イヤリング本体に設けられた、請求項１または請求項２に記載の装飾品。
【発明の詳細な説明】
【技術分野】
【０００１】
この発明は装飾品に関し、特に身体や衣服につけられる、たとえば、指輪、イヤリング、ピアス、ブレスレット、ネックレス、ネクタイピン、ペンダント、ブローチ等の装飾品に関する。
【背景技術】
【０００２】
この発明の背景となる従来の装飾品が、たとえば特許文献１に開示されている。また、特許文献１には、装飾品としての指輪、イヤリング、ピアス等において、導電性を有する留め部が、発光ダイオードおよび電池などを接続するためのスイッチを兼ねることが開示されている。
【０００３】
【特許文献１】特開２００４−８９３７８公報
【発明の開示】
【発明が解決しようとする課題】
【０００４】
ところが、上述の装飾品では、スイッチを入れたり切ったりするためには、スイッチを兼ねる可動部品からなる留め部を操作する必要がある。そのため、上述の装飾品では、スイッチを入れ忘れたり、切り忘れたりするおそれがある。このようにスイッチを入れ忘れると、装飾品を身体につけていても発光ダイオードが点灯せず装飾効果が薄れてしまう場合があり、また、スイッチを切り忘れると、装飾品の電源が不必要に消耗してしまう場合がある。
【０００５】
それゆえに、この発明の主たる目的は、スイッチとして可動部品を必要とせず、身体につけているときに発光素子が点灯し、身体から外しているときに発光素子が消灯する、装飾品を提供することである。
【課題を解決するための手段】
【０００６】
この発明にかかる装飾品は、身体につけられるように形成された装飾品本体と、装飾品本体を身体につけることによって身体に接触するように、装飾品本体に間隔を隔てて設けられる２つの電極と、点灯状態が外部からわかるように装飾品本体に設けられる発光素子と、装飾品本体に設けられる電源と、装飾品本体に設けられ、オン状態になることによって電源から発光素子に電力を供給するスイッチとして働くＭＯＳ電界効果トランジスタとを含む装飾品であって、ＭＯＳ電界効果トランジスタは、２つの電極に身体を接触させることによってオン状態になるように構成された、装飾品である。
この発明にかかる装飾品では、２つの電極に身体を接触させることによってＭＯＳ電界効果トランジスタがオン状態になるようにするために、たとえば、２つの電極のうちの一方の電極は、電源に接続され、さらに、２つの電極のうちの他方の電極は、ＭＯＳ電界効果トランジスタのゲートに接続される。
また、この発明にかかる装飾品では、たとえば、装飾品本体が、指輪装飾部と指輪装飾部に設けられるリング部とを含む指輪本体であり、２つの電極が、リング部を指に嵌めることによって指に接触するように指輪本体に設けられる。
さらに、この発明にかかる装飾品では、たとえば、装飾品本体が、イヤリング装飾部とイヤリング装飾部に設けられる挟持部とを含むイヤリング本体であり、２つの電極が、イヤリング装飾部および挟持部で耳を挟むことによって耳に接触するようにイヤリング本体に設けられる。
【発明の効果】
【０００７】
この発明にかかる装飾品では、たとえば指輪本体やイヤリング本体等の装飾品本体をたとえば指や耳等の身体につけることによって、装飾品本体に設けられた２つの電極にたとえば指や耳等の身体が接触し、ＭＯＳ電界効果トランジスタがオン状態となり、発光素子が点灯する。
また、この発明にかかる装飾品では、たとえば指輪本体やイヤリング本体等の装飾品本体をたとえば指や耳等の身体から外すことによって、装飾品本体に設けられた２つの電極からたとえば指や耳等の身体が離れ、ＭＯＳ電界効果トランジスタがオフ状態となり、発光素子が消灯する。
したがって、この発明によれば、スイッチとして可動部品を必要とせず、たとえば指や耳等の身体につけているときに発光素子が点灯し、たとえば指や耳等の身体から外しているときに発光素子が消灯する、装飾品が得られる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
まずこの発明にかかる装飾品の一例としての指輪について説明する。
図１はこの発明にかかる装飾品の一例としての指輪の指輪装飾部側を示す斜視図であり、図２は図１に示す指輪の電極側を示す斜視図であり、図３は図１に示す指輪およびそれに適用される外部電源の回路図である。
【００１０】
図１に示す指輪１０は、装飾品本体としての指輪本体１２を含む。指輪本体１２は、たとえば略円板状の指輪装飾部１４を含み、指輪装飾部１４の平面状の裏面側には、金属等の導電性材料からなるたとえばＣ字状のリング部１６が設けられる。すなわち、指輪装飾部１４の裏面には、その中央にたとえば円形の電極１８ａが設けられ、電極１８ａの周囲にたとえば円環状の電極１８ｂが電極１８ａから間隔を隔てて設けられる。そして、リング部１６の両端部が、外側の電極１８ｂに接続される。また、２つの電極１８ａ、１８ｂは、リング部１６を指に嵌めることによって指に接触するように設けられる。
【００１１】
指輪本体１２の指輪装飾部１４の表面部には、複数の装飾用孔１４ａや装飾用凹み１４ｂが形成される。また、指輪装飾部１４内では、基板（図示せず）に、発光素子としての発光ダイオード２０（図３参照）が設けられる。この場合、発光ダイオード２０は、その点灯状態が外部から装飾用孔１４ａを通してわかるように、指輪装飾部１４内に設けられる。
【００１２】
また、この指輪１０は、指輪装飾部１４内の基板に設けられる電源としての二次電池２２を含む。二次電池２２としては、たとえば極小タイプの３Ｖリチウムボタン電池等が用いられる。
【００１３】
さらに、この指輪１０は、指輪装飾部１４内の基板に設けられるたとえば２ＳＫ３５４１などのＭＯＳ電界効果トランジスタ２４を含む。ＭＯＳ電界効果トランジスタ２４は、オン状態になることによって、二次電池２２から発光ダイオード２０に電力を供給するスイッチとして働くものである。ＭＯＳ電界効果トランジスタ２４は、２つの電極１８ａ、１８ｂに指などの身体を接触させることによってオン状態になるように構成される。すなわち、２つの電極１８ａ、１８ｂのうちの一方の電極１８ａは、二次電池２２の正極に接続され、他方の電極１８ｂは、ＭＯＳ電界効果トランジスタ２４のゲートに接続される。また、二次電池２２の負極およびＭＯＳ電界効果トランジスタ２４のソースは、それぞれ接地される。
【００１４】
さらに、この指輪１０は、スイッチング回路２６を含む。スイッチング回路２６は、二次電池２２を発光ダイオード２０に接続して発光ダイオード２０を点灯状態にしたり、二次電池２２から発光ダイオード２０を切断して発光ダイオード２０を消灯状態にしたりするためのものである。
スイッチング回路２６は、指輪装飾部１４内の基板に設けられるスイッチング素子としてのトランジスタ２８を含み、発光ダイオード２０、二次電池２２およびトランジスタ２８などが直列に接続される。すなわち、二次電池２２の正極が指輪装飾部１４内の基板に設けられる電流制限用抵抗器２１を介して発光ダイオード２０のアノードに接続され、発光ダイオード２０のカソードがトランジスタ２８のコレクタに接続され、トランジスタ２８のエミッタがＭＯＳ電界効果トランジスタ２４のドレインに接続される。
したがって、スイッチとして働くＭＯＳ電界効果トランジスタ２４がオン状態の場合、スイッチング回路２６のトランジスタ２８のオン状態またはオフ状態に応じて、発光ダイオード２０が点灯状態または消灯状態になる。
【００１５】
さらに、この指輪１０は、指輪装飾部１４内の基板に設けられる相補型ＭＯＳを利用した発振回路３０を含む。発振回路３０は、発光ダイオード２０の点灯状態および消灯状態を切り替えるために、スイッチング回路２６のトランジスタ２８のオン状態およびオフ状態を切り替えるためのものである。
発振回路３０は、相補型ＭＯＳを利用したヒステリシス特性を有するインバータ３２を含む。インバータ３２としては、相補型ＭＯＳ集積回路である７４ＨＣ１３２に用いられる１つのナンドゲートにおいて２つの入力端子を接続して１つの入力端子にしたもの、または、相補型ＭＯＳ集積回路である７４ＨＣ１４に用いられるものが用いられる。インバータ３２の入力端子および出力端子間には、抵抗器３４およびダイオード３６を並列接続した並列回路と抵抗器３８とを直列接続した直列回路が、帰還回路として接続される。この場合、ダイオード３６のアノードは、インバータ３２の出力端子に接続され、ダイオード３６のカソードは、抵抗器３８を介して、インバータ３２の入力端子に接続される。また、インバータ３２の入力端子は、コンデンサ４０を介して、ＭＯＳ電界効果トランジスタ２４のドレインに接続される。
【００１６】
また、この指輪１０では、二次電池２２の電圧が指輪装飾部１４内の基板に設けられるたとえば１０ＭΩの抵抗器４２およびたとえば１μＦのコンデンサ４４などで分圧され、そのコンデンサ４４間側の電圧が、発振回路３０の電源電圧として、発振回路３０に供給されるように構成される。
すなわち、二次電池２２の正極が抵抗器４２を介して発振回路３０のインバータ３２の電源端子３２ａに接続され、その電源端子３２ａおよびＭＯＳ電界効果トランジスタ２４のドレイン間にコンデンサ４４が接続される。さらに、発振回路３０のインバータ３２のグランド端子（図示せず）が、ＭＯＳ電界効果トランジスタ２４のドレインに接続される。
【００１７】
発振回路３０の出力端子すなわちインバータ３２の出力端子は、抵抗器４６を介して、スイッチング回路２６のトランジスタ２８のベースに接続される。この場合、発振回路３０の出力信号に応じて、スイチング回路２６のトランジスタ２８のオン状態およびオフ状態が切り替わるように構成される。
【００１８】
また、この指輪１０では、電極１８ｂに充電用ダイオード４８のカソードが接続され、その充電用ダイオード４８のアノードが接地される。充電用ダイオード４８は、二次電池２２を充電する際にオン状態となるものである。
【００１９】
さらに、この指輪１０には、必要に応じて、外部電源５０が適用される。外部電源５０は、二次電池２２に電力を供給して二次電池２２を充電するためのものである。外部電源５０は、電池５２を含む。電池５２としては、たとえばＤＣ３Ｖの一次電池が用いられる。電池５２の正極は、電流制限用抵抗器５４を介して正極用接点５６に接続され、電池５２の負極は、負極用接点５８に接続される。正極用接点５６は、一方の充電用接点を兼ねる電極１８ａに接続しやすいように形成され、負極用接点５８は、他方の充電用接点を兼ねる電極１８ｂに接続しやすいように形成される。
【００２０】
この指輪１０では、指輪本体１２のリング部１６を指に嵌めることによって、２つの電極１８ａ、１８ｂに指が接触し、ＭＯＳ電界効果トランジスタ２４がオン状態になり、発光ダイオード２０が点灯する。この場合、発振回路３０の出力信号によってスイッチング回路２６におけるトランジスタ２８のオン状態およびオフ状態が切り替わり、発光ダイオード２０は点滅する。なお、電極１８ｂに導電性材料からなるリング部１６が接続されているので、２つの電極１８ａ、１８ｂに指が接触する代わりに、電極１８ａおよびリング部１６に指が接触しても、２つの電極１８ａ、１８ｂに指が電気的に接触していることになり、ＭＯＳ電界効果トランジスタ２４がオン状態になり、発光ダイオード２０が点滅する。
また、この指輪１０では、指輪本体１２のリング部１６から指を外すことによって、２つの電極１８ａ、１８ｂから指が離れ、ＭＯＳ電界効果トランジスタ２４がオフ状態となり、発光ダイオード２０が消灯する。
したがって、この指輪１０では、スイッチとして可動部品を必要とせず、指に嵌めているときに発光ダイオード２０が点滅し、指から外しているときに発光ダイオード２０が消灯する。
【００２１】
また、この指輪１０では、発振回路３０の電源電圧として、二次電池２２の電圧を抵抗器４２およびコンデンサ４４などで分圧し、コンデンサ４４間側の電圧を発振回路３０に供給しているので、このような抵抗器４２およびコンデンサ４４を使用する代わりに、二次電池２２の正極を発振回路３０のインバータ３２の電源端子３２ａに直接接続して、二次電池２２の電圧とほぼ同じ電圧を発振回路３０の電源電圧として発振回路３０に供給するものと比べて、発振回路３０における消費電力が小さくなり、発光ダイオード２０を長期間点滅することができる。
さらに、この指輪１０では、そのような抵抗器４２およびコンデンサ４４を使用する代わりに、二次電池２２の電圧を３端子レギュレータで低下して発振回路３０の電源電圧として発振回路３０に供給するものと比べて、３端子レギュレータが不要となり、消費電力が小さくなり、発光ダイオード２０を長期間点滅することができる。
【００２２】
また、この指輪１０では、二次電池２２が放電されてしまった場合、電極１８ａ、１８ｂを充電用接点として、二次電池２２を充電することができる。この場合、たとえば、電極１８ａに外部電源５０の正極用接点５６が接続され、電極１８ｂに外部電源５０の負極用接点５８が接続される。それによって、充電用ダイオード４８がオン状態となり、外部電源５０の電池５２から電流制限用抵抗器５４および充電用ダイオード４８を介して二次電池２２に電力が供給され、二次電池２２が充電される。
【００２３】
また、この指輪１０では、上述のようにして二次電池２２を充電する場合、充電用ダイオード４８がオン状態となるので、ＭＯＳ電界効果トランジスタ２４などがオン状態にならず、ＭＯＳ電界効果トランジスタ２４、発振回路３０、スイッチング回路２８および発光ダイオード２０によってほとんど電力が消費されず、経済的である。
【００２４】
さらに、この指輪１０では、スイッチとして可動部品を必要としない点だけでなく、電極１８ａ、１８ｂが充電用接点を兼ねるので、電極１８ａ、１８ｂ以外に充電用接点となる部品が不要である点でも、小型化を図ることができる。
【００２５】
次に、この発明にかかる装飾品の一例としてのイヤリングについて説明する。なお、このイヤリングは、右耳用のイヤリングと左耳用のイヤリングとが同様な構造なので、特に片側のイヤリングについて説明する。
図４はこの発明にかかる装飾品の他の例としてのイヤリングのイヤリング装飾部側を示す斜視図であり、図５は図４に示すイヤリングの電極側を示す斜視図であり、図６は図４に示すイヤリングおよびそれに適用される外部電源の回路図である。
【００２６】
図４に示すイヤリング１１０は、装飾品本体としてのイヤリング本体１１２を含む。イヤリング本体１１２は、指輪装飾部１４と同様のたとえば略円板状のイヤリング装飾部１１４を含み、イヤリング装飾部１１４の平面状の裏面側には、金属等の導電性材料からなる挟持部１１６が設けられる。すなわち、イヤリング装飾部１１４の裏面には、そのほぼ中央にたとえば円形の電極１１８ａが設けられ、電極１１８ａの周囲にたとえばＣ字状の電極１１８ｂが電極１１８ａから間隔を隔てて設けられる。そして、挟持部１１６の一端部が、内側の電極１１８ａに接続される。挟持部１１６は、一端部が電極１１８ａに接続されるＪ字状のアーム１１６ａを含み、アーム１１６ａの他端部には、保持部１１６ｂが開閉自在に設けられ、保持部１１６ｂには、耳を挟持する挟持力をねじによって調整する調整部１１６ｃが保持される。また、２つの電極１１８ａ、１１８ｂは、イヤリング装飾部１１４および挟持部１１６で耳を挟むことによって耳に接触するように設けられる。
【００２７】
イヤリング装飾部１１４の表面部には、複数の装飾用孔１１４ａや装飾用凹み１１４ｂが形成される。また、イヤリング装飾部１１４内では、基板（図示せず）に、発光素子としての発光ダイオード１２０（図６参照）が設けられる。この場合、発光ダイオード１２０は、その点灯状態が外部から装飾用孔１１４ａを通してわかるように、イヤリング装飾部１１４内に設けられる。
【００２８】
また、このイヤリング１１０は、イヤリング装飾部１１４内の基板に設けられる電源としての二次電池１２２を含む。二次電池１２２としては、たとえば極小タイプの３Ｖリチウムボタン電池等が用いられる。
【００２９】
さらに、このイヤリング１１０は、イヤリング装飾部１１４内の基板に設けられるたとえば２ＳＫ３５４１などのＭＯＳ電界効果トランジスタ１２４を含む。ＭＯＳ電界効果トランジスタ１２４は、オン状態になることによって、二次電池１２２から発光ダイオード１２０に電力を供給するスイッチとして働くものである。ＭＯＳ電界効果トランジスタ１２４は、２つの電極１１８ａ、１１８ｂに耳などの身体を接触させることによってオン状態になるように構成される。すなわち、２つの電極１１８ａ、１１８ｂのうちの一方の電極１１８ａは、二次電池１２２の正極に接続され、他方の電極１１８ｂは、ＭＯＳ電界効果トランジスタ１２４のゲートに接続される。また、二次電池１２２の正極は、イヤリング装飾部１１４内の基板に設けられる電流制限用抵抗器１２１を介して発光ダイオード１２０のアノードに接続され、発光ダイオード１２０のカソードが、ＭＯＳ電界効果トランジスタ１２４のドレインに接続される。さらに、二次電池１２２の負極およびＭＯＳ電界効果トランジスタ１２４のソースが接続される。
したがって、スイッチとして働くＭＯＳ電界効果トランジスタ１２４がオン状態の場合、二次電池１２２から電流制限用抵抗器１２１およびＭＯＳ電界効果トランジスタ１２４を介して発光ダイオード１２０に電力が供給され、発光ダイオード１２０が点灯状態になる。
【００３０】
また、このイヤリング１１０では、電極１１８ｂに充電用ダイオード１４８のカソードが接続され、その充電用ダイオード１４８のアノードが二次電池１２２の負極に接続される。充電用ダイオード１４８は、二次電池１２２を充電する際にオン状態となるものである。
【００３１】
さらに、このイヤリング１１０には、必要に応じて、外部電源１５０が適用される。外部電源１５０は、二次電池１２２に電力を供給して二次電池１２２を充電するためのものである。外部電源１５０は、電池１５２を含む。電池１５２としては、たとえばＤＣ３Ｖの一次電池が用いられる。電池１５２の正極は、電流制限用抵抗器１５４を介して正極用接点１５６に接続され、電池１５２の負極は、負極用接点１５８に接続される。正極用接点１５６は、一方の充電用接点を兼ねる電極１１８ａに接続しやすいように形成され、負極用接点１５８は、他方の充電用接点を兼ねる電極１１８ｂに接続しやすいように形成される。
【００３２】
このイヤリング１１０では、イヤリング本体１１２のイヤリング装飾部１１４および挟持部１１６で耳を挟むことによって、２つの電極１１８ａ、１１８ｂに耳が接触し、ＭＯＳ電界効果トランジスタ１２４がオン状態になり、発光ダイオード１２０が点灯する。なお、電極１１８ａに導電性材料からなる挟持部１１６が接続されているので、２つの電極１１８ａ、１１８ｂに耳が接触する代わりに、挟持部１１６および電極１８ｂに耳が接触しても、２つの電極１１８ａ、１１８ｂに耳が電気的に接触していることになり、ＭＯＳ電界効果トランジスタ１２４がオン状態になり、発光ダイオード１２０が点灯する。
また、このイヤリング１１０では、イヤリング本体１１２のイヤリング装飾部１１４および挟持部１１６から耳を外すことによって、２つの電極１１８ａ、１１８ｂから耳が離れ、ＭＯＳ電界効果トランジスタ１２４がオフ状態となり、発光ダイオード１２０が消灯する。
したがって、このイヤリング１１０では、スイッチとして可動部品を必要とせず、耳につけているときに発光ダイオード１２０が点滅し、耳から外しているときに発光ダイオード１２０が消灯する。
【００３３】
また、このイヤリング１１０では、二次電池１２２が放電されてしまった場合、電極１１８ａ、１１８ｂを充電用接点として、二次電池１２２を充電することができる。この場合、たとえば、電極１１８ａに外部電源１５０の正極用接点１５６が接続され、電極１１８ｂに外部電源１５０の負極用接点１５８が接続される。それによって、充電用ダイオード１４８がオン状態となり、外部電源１５０の電池１５２から電流制限用抵抗器１５４および充電用ダイオード１４８を介して二次電池１２２に電力が供給され、二次電池１２２が充電される。
【００３４】
また、このイヤリング１１０では、上述のようにして二次電池１２２を充電する場合、充電用ダイオード１４８がオン状態となるので、ＭＯＳ電界効果トランジスタ１２４などがオン状態にならず、ＭＯＳ電界効果トランジスタ１２４および発光ダイオード１２０によってほとんど電力が消費されず、経済的である。
【００３５】
さらに、このイヤリング１１０では、スイッチとして可動部品を必要としない点だけでなく、電極１１８ａ、１１８ｂが充電用接点を兼ねるので、電極１１８ａ、１１８ｂ以外に充電用接点となる部品が不要である点でも、小型化を図ることができる。
【００３６】
なお、上述の指輪１０やイヤリング１１０では、特定の形状の電極１８ａ、１８ｂ、１１８ａ、１１８ｂが指輪装飾部１４やイヤリング装飾部１１４に設けられているが、この発明では、電極は、他の形状に形成されてもよく、また、指輪本体やイヤリング本体において他の部分に設けられてもよい。
同様に、外部電源５０、１５０の正極用接点５６、１５６および負極用接点５８、１５８の構造についても適宜に変更されてもよい。
さらに、１つの電極は、指輪のリング部のみやイヤリングの挟持部のみで構成されてもよい。
【００３７】
また、上述の指輪１０やイヤリング１１０では導電性材料からなるリング部１６や挟持部１１６が用いられているが、この発明では、他の構造のリング部や挟持部が用いられてもよい。
【００３８】
また、上述の指輪１０やイヤリング１１０では、発光素子としての発光ダイオード２０、１２０が装飾品本体としての指輪本体１２やイヤリング本体１１２の内部に設けられているが、この発明では、発光ダイオード以外の発光素子が用いられてもよく、また、発光素子は少なくとも一部分が装飾品本体から露出するように設けられてもよい。
【００３９】
また、上述の指輪１０およびイヤリング１１０では、電源として３Ｖの二次電池２２、１２２が用いられているが、この発明では、電源として３Ｖ以外の二次電池が用いられてもよく、または、電源として一次電池が用いられてもよい。同様に、外部電源５０、１５０の電池５２、１５２として、３Ｖ以外の一次電池が用いられてもよく、または、二次電池が用いられてもよい。
【００４０】
さらに、上述の指輪１０では、特定の回路構成のスイッチング回路２６や特定の回路構成の相補型ＭＯＳを利用した発振回路３０が用いられているが、この発明では、他の回路構成のスイッチング回路や他の回路構成の相補型ＭＯＳを利用した発振回路が用いられてもよい。また、二次電池２２の電圧を分圧して発振回路３０に供給する抵抗器４２やコンデンサ４４についても、他の抵抗値の抵抗器や他の静電容量値のコンデンサが用いられてもよい。
【００４１】
また、上述の例では、装飾品の例としての指輪やイヤリングについて説明したが、この発明は、身体につけられるピアス等の他の耳輪、ブレスレット、ネックレス等の装飾品にも適用され得る。
【００４２】
さらに、上述の指輪１０およびイヤリング１１０では、２つの電極に指や耳を接触させることによって、ＭＯＳ電界効果トランジスタ２４、１２４をオン状態にしているが、２つの電極に、抵抗値が０Ω〜１００ＭΩ程度の物を接触させることによっても、ＭＯＳ電界効果トランジスタ２４、１２４がオン状態になり、発光ダイオード２０、１２０を点滅・点灯することができる。そのため、上述の指輪１０やイヤリング１１０に用いられている構成は、衣服につけられるネクタイピン、ペンダント、ブローチ等の装飾品にも用いられ得る。
【産業上の利用可能性】
【００４３】
この発明は、発光素子を有する、たとえば指輪、イヤリング、ピアス、ブレスレット、ネックレス、ネクタイピン、ペンダント、ブローチ等の装飾品に適用できる。
【図面の簡単な説明】
【００４４】
【図１】この発明にかかる装飾品の一例としての指輪の指輪装飾部側を示す斜視図である。
【図２】図１に示す指輪の電極側を示す斜視図である。
【図３】図１に示す指輪およびそれに適用される外部電源の回路図である。
【図４】この発明にかかる装飾品の他の例としてのイヤリングのイヤリング装飾部側を示す斜視図である。
【図５】図４に示すイヤリングの電極側を示す斜視図である。
【図６】図４に示すイヤリングおよびそれに適用される外部電源の回路図である。
【符号の説明】
【００４５】
１０  指輪
１２  指輪本体
１４  指輪装飾部
１４ａ  装飾用孔
１４ｂ  装飾用凹み
１６  リング部
１８ａ、１８ｂ、１１８ａ、１１８ｂ  電極
２０、１２０  発光ダイオード
２１、１２１  電流制限用抵抗器
２２、１２２  二次電池
２４、１２４  ＭＯＳ電界効果トランジスタ
２６  スイッチング回路
２８  トランジスタ
３０  発振回路
３２  インバータ
３２ａ  電源端子
３４、３８、４２、４６  抵抗器
３６  ダイオード
４０、４４  コンデンサ
４８、１４８  充電用ダイオード
５０、１５０  外部電源
５２、１５２  電池
５４、１５４  電流制限用抵抗器
５６、１５６  正極用接点
５８、１５８  負極用接点
１１０  イヤリング
１１２  イヤリング本体
１１４  イヤリング装飾部
１１４ａ  装飾用孔
１１４ｂ  装飾用凹み
１１６  挟持部
１１６ａ  アーム
１１６ｂ  保持部
１１６ｃ  調整部
【図１】
2006061466.tif 000003
【図２】
2006061466.tif 000004
【図３】
2006061466.tif 000005
【図４】
2006061466.tif 000006
【図５】
2006061466.tif 000007
【図６】
2006061466.tif 000008